(57)【要約】      （修正有）【課題】トレイ体を重ねて置く数の過多による過度傾斜や倒れてしまう状況の発生を防止できる傾斜口ベーキングトレイのスタッキング構造を提供する。【解決手段】傾斜口ベーキングトレイのスタッキング構造は矩形面状を呈するトレイ体１０を有し、トレイ体１０の３個の辺には、一体に上へ向かい、かつ相互に取り囲んで連接する３個の辺枠をそれぞれ設置し、トレイ体１０の四つ目の辺には傾斜口１２を形成し、３個の辺枠１１頂縁及び四つ目の辺は共同で唇縁１３を環状に設置し、傾斜口１２に近いトレイ体１０の末端には上向きに傾斜し唇縁１３まで延伸する斜面１４を設置し、相対する２個の辺枠１１の傾斜口１２に近い末端縁にはそれぞれ下向きに傾斜し唇縁１３まで延伸する斜辺１５を設置し、相対する２個の辺枠１１はそれぞれ外へと突出するように重ね置き定位構造２０を設置し、トレイ体１０を上下にスタッキングする時に、より高い安定性を備える。【選択図】図１
0003219780.tif 000002
【実用新案登録請求の範囲】
【請求項１】
傾斜口ベーキングトレイのスタッキング構造は、矩形面状を呈するトレイ体を備え、  該トレイ体の３個の辺には、一体に上へ向かい、かつ相互に取り囲んで連接する３個の辺枠をそれぞれ設置し、該トレイ体の四つ目の辺には、傾斜口を形成し、３個の該辺枠頂縁及び四つ目の辺は共同で、唇縁を環状に設置し、該トレイ体の、該傾斜口に近い末端は、上方へと傾斜し、該唇縁へと延伸する斜面を設置し、相対する該２個の辺枠の、該傾斜口に近い末端縁は、それぞれ下方へと傾斜し、該唇縁へと延伸する斜辺を設置し、
相対する該２個の辺枠は、それぞれ外へと少なくとも１個の重ね置き定位構造２０を突出するように設置し、該トレイ体を上下にスタッキングする時に安定スタッキング定位作用を提供することを特徴とする傾斜口ベーキングトレイのスタッキング構造。
【請求項２】
前記相対する該２個の辺枠の前端と後端付近には、２個の重ね置き定位構造をそれぞれ突出するように設置し、該４個の重ね置き定位構造は同じ水平高度にあり、
該斜面と該トレイ体の長さの比は、１：８〜１：１５の間で、
該斜辺と相対する該２個の辺枠の長さの比は、１：８〜１：１５の間であることを特徴とする請求項１に記載の傾斜口ベーキングトレイのスタッキング構造。
【請求項３】
前記各重ね置き定位構造は、該２個の辺枠頂部から底部へと縦方向に延伸するストレートセクション、及び該ストレートセクション末端に続くサポートセクションを備え、
該ストレートセクションと該サポートセクションの間には、８０〜１４０度の挟角を備え、
該サポートセクションは、複数の該トレイ体を重ねて置く時に、該下層のトレイ体の相対する２個の辺枠の、頂部付近の内辺上を圧迫し、これにより上下に重ねて置く際の安定サポート作用を提供することを特徴とする請求項１に記載の傾斜口ベーキングトレイのスタッキング構造。
【考案の詳細な説明】
【技術分野】
【０００１】
本考案は傾斜口ベーキングトレイのスタッキング構造に関し、特に上下にスタッキングする時に、より高い安定性を備えるスタッキング定位作用を提供できる傾斜口をトレイ体に形成するベーキングトレイのスタッキング技術である傾斜口ベーキングトレイのスタッキング構造に関する。
【背景技術】
【０００２】
一般に知られている傾斜口ベーキングトレイの具体的な構造は図７〜８に示すように、矩形面状を呈するトレイ体１００を備える。
該トレイ体１００の３個の辺には、一体に上へ向かい、かつ相互に取り囲んで連接する３個の辺枠１０１をそれぞれ設置する。
これにより、トレイ体１００の四つ目の辺には、傾斜口１０２が形成され、トレイ体１００の、傾斜口１０２に近い末端には、上方へと徐々に傾斜する斜面１０３を延伸し、相対する２個の辺枠１０１の、傾斜口１０２に近い末端縁には、下方へと徐々に傾斜する斜辺１０１ａをそれぞれ形成し、３個の辺枠１０１頂縁及び四つ目の辺の底縁は、共同で唇縁１０４を環状に設置する。
【０００３】
具体的な使用時には、使用者は、火傷防止用具で傾斜口ベーキングトレイを持ち上げ、続いて前方へと傾斜させるだけで、ベーキングプロセスが既に完了した、傾斜口ベーキングトレイ内のベーキング食品を、傾斜口１０２から盛り付け用の食器中に直接滑り入れることができる。
【０００４】
上記のように、傾斜口ベーキングトレイは、伝統的なベーキングトレイに比べ、辺枠が一つ少ないが、ベーキング食品を迅速かつ便利に滑り出すことができる傾斜口が備わっている。
一方、該傾斜口ベーキングトレイは輸送或いは生産過程で、相互に重ねて置き保管スペースを節減する必要がある。
しかし、従来の技術では、傾斜口ベーキングトレイ上の辺枠上には、スタッキングサポートの機能が設置されていない。
そのため、傾斜口ベーキングトレイを重ねて置くと、重量が下にかかり、上層の傾斜口ベーキングトレイは受力の不均衡により、下層傾斜口ベーキングトレイ上を圧迫する。
傾斜口ベーキングトレイを重ねて置く数が多ければ、重ねて置く傾斜口ベーキングトレイは過度の傾斜で倒れてしまう状況が発生する。
上層の傾斜口ベーキングトレイの唇縁が、下層の傾斜口ベーキングトレイの唇縁を圧迫すると、上層の傾斜口ベーキングトレイと下層の重ねて置く傾斜口ベーキングトレイとは相互に引っかかり、素早く取り出せなくなってしまい、取り出しに時間がかかるようになってしまう。
こうして、輸送及び生産時に重ねて置く際の不便と困難を招いている。
【先行技術文献】
【特許文献】
【０００５】
【特許文献１】特開2005-170419号公報
【考案の概要】
【考案が解決しようとする課題】
【０００６】
本考案の目的は、上下にスタッキングする時に、より高い安定性を備えるスタッキング定位作用を提供できる傾斜口をトレイ体に形成する傾斜口ベーキングトレイのスタッキング構造を提供することである。
【課題を解決するための手段】
【０００７】
本考案による傾斜口ベーキングトレイのスタッキング構造は、スタッキングサポート機能を提供し、傾斜口ベーキングトレイに上下にスタッキングする時により高い安定性を備えるスタッキング定位作用を持たせ、トレイ体重ねて置く数の過多による過度傾斜や倒れてしまう状況の発生を防止でき、
傾斜口ベーキングトレイのスタッキング構造は、矩形面状を呈するトレイ体を備え、  該トレイ体の３個の辺には、一体に上へ向かい、かつ相互に取り囲んで連接する３個の辺枠をそれぞれ設置し、トレイ体の四つ目の辺には傾斜口を形成し、
３個の辺枠頂縁及び四つ目の辺は共同で唇縁を環状に設置し、トレイ体の、傾斜口に近い末端には、上向きに傾斜し唇縁まで延伸する斜面を設置し、相対する２個の辺枠の該傾斜口に近い末端縁には、それぞれ下向きに傾斜し唇縁まで延伸する斜辺を設置し、
相対する２個の辺枠は、それぞれ外へと重ね置き定位構造を突出するように設置し、該トレイ体を上下にスタッキングする時に安定スタッキング定位作用を提供する。
【考案の効果】
【０００８】
本考案は、上下にスタッキングする時に、より高い安定性を備えるスタッキング定位作用を提供できる傾斜口をトレイ体に形成することができる。
【図面の簡単な説明】
【０００９】
【図１】本考案具体的実施例の側視部分断面模式図である。
【図２】本考案具体的実施例の俯視模式図である。
【図３】本考案具体的実施例の側視部分模式図である。
【図４】本考案上下層トレイ体を重ねて置く様子を示す実施模式図である。
【図５】本考案具体的実施例の側視模式図である。
【図６】本考案具体的実施例を重ねて置く様子を示す模式図である。
【図７】従来の傾斜口ベーキングトレイの側視模式図である。
【図８】従来の傾斜口ベーキングトレイを重ねて置く様子を示す実施模式図である。
【考案を実施するための形態】
【実施例】
【００１０】
図１〜５に示すように、本考案の目的を実現する具体的実施例は、矩形面状を呈するトレイ体１０を備える。
【００１１】
該トレイ体１０の３個の辺には、一体に上へ向かい、かつ相互に取り囲んで連接する３個の辺枠１１をそれぞれ設置し、トレイ体１０の四つ目の辺には、傾斜口１２を形成する。
【００１２】
３個の辺枠１１頂縁及び四つ目の辺は共同で、唇縁１３を環状に設置し、該トレイ１０体の、傾斜口１２に近い末端は、上方へと傾斜し、唇縁１３まで延伸する斜面１４を設置し、相対する２個の辺枠１１の、傾斜口１２に近い末端縁は、それぞれ下方へと傾斜し、唇縁１３まで延伸する斜辺１５を設置する。
【００１３】
相対する２個の辺枠１１は、それぞれ外へと少なくとも１個の重ね置き定位構造２０を突出するように設置し、これによりトレイ体１０を上下にスタッキングする時の安定スタッキング定位作用を提供し、重ね置きが傾斜することで倒れてしまう状況の発生を回避できる。
【００１４】
図３、５に示すように、該相対する２個の辺枠１１の前端と後端付近には、２個の重ね置き定位構造２０をそれぞれ突出するように設置し、しかも４個の重ね置き定位構造２０は同じ水平高度にある。
【００１５】
該斜面１４とトレイ体１０の長さの比は、１：８〜１：１５の間で、該斜辺１５と相対する２個の辺枠１１の長さの比は、１：８〜１：１５の間である。
【００１６】
図３、４に示すように、該各重ね置き定位構造２０は、２個の辺枠１１頂部から底部へと、縦方向に延伸するストレートセクション２１及びストレートセクション２１末端に続くサポートセクション２２を備える。
【００１７】
具体的には、該ストレートセクション２１とサポートセクション２２の間には、８０〜１４０度（好ましくは９０度に近い）の挟角を備える。
【００１８】
該各サポートセクション２２は、多数のトレイ体１０を重ねて置く時、下層トレイ体１０の相対する２個の辺枠１１の、頂部付近の内辺上を圧迫する。
【００１９】
これから類推できるように、各上層トレイ体１０の４個のサポートセクション２２は、下層のトレイ体１０の相対する２個の辺枠１１の、頂部付近の内辺上を圧迫する
【００２０】
これにより、図４に示すように、上下スタッキング安定サポート定位作用のスタッキング構造を形成し、しかも図６に示すスタッキング構造は、鉛垂に近いラインを呈し、従来の傾斜口ベーキングトレイのように、スタッキング数が多すぎることで傾斜し、及び倒れてしまう状況（図８参照）が発生する恐れはなく、すなわち本考案は最良のスタッキング定位効果を達成することができる。
【００２１】
本考案の具体的な使用時には、使用者は、ベーキングを待つ食材を、傾斜口ベーキングトレイのトレイ体１０内に入れ、続いて傾斜口ベーキングトレイをオーブンに入れてベーキングする。
【００２２】
ベーキングが完成すると、傾斜口ベーキングトレイを取り出し、この時、使用者は火傷防止用具で傾斜口ベーキングトレイを持ち上げ、続いて前方へと傾斜させるだけで、傾斜口ベーキングトレイ内の、ベーキングプロセスが既に完了したベーキング食品を、傾斜口１０２から盛り付け用の食器中に直接滑り入れることができる。
【００２３】
上記を総合すると、本考案はスタッキングを支える機能を備えるため、トレイ体を上下にスタッキングする時に、より高い安定性を備えるスタッキング定位作用を提供でき、トレイ体をスタッキングする数が多過ぎることで、過度に傾斜し、倒れてしまう状況の発生を防止できる。
【産業上の利用可能性】
【００２４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２５】
１０、１００  トレイ体
１１、１０１  辺枠
１２、１０２  傾斜口
１４、１０３  斜面
１５、１０１ａ  斜辺
１３、１０４  唇縁
２０  重ね置き定位構造
２１  ストレートセクション
２２  サポートセクション
【図１】
0003219780.tif 000003
【図２】
0003219780.tif 000004
【図３】
0003219780.tif 000005
【図４】
0003219780.tif 000006
【図５】
0003219780.tif 000007
【図６】
0003219780.tif 000008
【図７】
0003219780.tif 000009
【図８】
0003219780.tif 000010